(57)【要約】  移動局と基地局との間におけるシグナリング負荷によって、ＵＥの電力消費、特に、スリープモードにおける電力消費が大きい。  移動局が、ダウンリンクプリアンブルメッセージを使用して、ダウンリンクシグナリング内のタイミングドリフトをモニタリングすると共に、閾値を超えたタイミングドリフトの大きさに応じてアップリンク（ＵＬ）同期値を更新することによって、アップリンク（ＵＬ）同期を確立する。Ｔｘ電力値を、更新される同期値の関数として更新することもできる。
2011526745.tif 000002
【特許請求の範囲】
【請求項１】
無線通信ネットワークの移動局においてアップリンク（ＵＬ）同期を制御する方法であって、
ダウンリンクシグナリング内のタイミングドリフトをモニタリングするステップと、
閾値を超えた前記タイミングドリフトに応じて、前記アップリンク同期値を更新するステップと、
を含み、
前記アップリンク同期更新値は、前回の同期値と、前記ＤＬシグナリング内の前記タイミングドリフトの上述した大きさの２倍との和に基づいて確定される、方法。
【請求項２】
前記閾値は、ダウンリンクチャネル記述子（ＤＣＤ）シグナリングによって送信される、請求項１に記載の方法。
【請求項３】
前記閾値は、前記無線通信ネットワーク内の基地局において、少なくともセルサイズ、サイクリックプレフィックス長、及び測定精度に応じて確定される、請求項２に記載の方法。
【請求項４】
移動無線通信ネットワーク内のアップリンンク同期のための同期更新値を決定する方法であって、該方法は、現在の同期値を考慮し、該方法は、
ダウンリンクシグナリング内のタイミングドリフトを確定するステップを含み、
前記同期更新値は、前記現在の同期値と、前記タイミングドリフトの大きさの２倍との和を含む、方法。
【請求項５】
前記タイミングドリフトは、ＤＬプリアンブル測定に基づいて確定される、請求項１又は４に記載の方法。
【請求項６】
無線通信ネットワーク内の移動局におけるＴｘ電力値を制御する方法であって、
請求項１〜３並びに請求項５及び６のいずれか一項に記載のアップリンクの同期更新値を決定するステップを含み、
前記更新されるＴｘ電力値は、前記同期更新値の関数を含む、方法。
【請求項７】
前記方法は、請求項１に定義されるＵＬ同期を制御する方法を含み、
前記Ｔｘ更新値は前記アップリンク同期値が更新される度毎に決定される、請求項６に記載の方法。
【請求項８】
ＷｉＭＡＸシステム内で提供される、請求項１〜７のいずれか一項に記載の方法。
【請求項９】
前記ネットワークシグナリングは、時分割複信（ＴＤＤ）モードにおいて生じる、請求項１〜８のいずれか一項に記載の方法。
【請求項１０】
移動無線通信ネットワーク内で使用するための移動無線通信装置であって、アップリンク同期値を制御するように構成され、
ダウンリンクタイミングドリフト値をモニタリングする手段と、
閾値を超えた前記ダウンリンクタイミングドリフト値の大きさに応じて前記アップリンク同期値を更新する手段と、
前記更新されるアップリンク同期値を、前回の値と、前記タイミングドリフトの前記大きさの２倍との和に基づいて決定する手段と、
を備える、移動無線通信装置。
【請求項１１】
移動無線通信ネットワークにおいて使用するための移動無線通信装置であって、アップリンク同期のための同期更新値を決定するように構成され、
ダウンリンクタイミングドリフトの大きさを決定する手段を備え、
前記同期更新値は前回のアップリンク同期値と前記タイミングドリフトの前記大きさの２倍との和に基づいて決定される、移動無線通信装置。
【請求項１２】
更新されるＴｘ電力値を、前記更新されるアップリンク同期値の関数として決定する手段を備える、請求項１０又は１１に記載の装置。
【請求項１３】
前記アップリンク同期値が更新するときに前記Ｔｘ電力値を更新するように構成される、請求項１２に記載の装置。
【請求項１４】
前記タイミングドリフトがダウンリンクプリアンブル測定に基づいて決定されるように構成される、請求項１０〜１３のいずれか一項に記載の装置。
【発明の詳細な説明】
【技術分野】
【０００１】
本発明は、移動無線通信ネットワークの任意の形態のユーザ機器（ＵＥ）のような移動無線通信装置、及び該移動無線通信装置の動作方法、特に、該移動無線通信装置の動作特性の改善を図る動作方法に関する。
【０００２】
本出願は、２００８年７月２日付けの英国特許出願第０８１２０８９．１号からの優先権に基づくと共にその利益を主張するものであり、該特許出願の開示は参照によりその全体が本明細書に援用される。
【背景技術】
【０００３】
移動無線通信ネットワーク内で動作するＵＥハンドセットのような移動無線通信装置では、ネットワーク内のハンドセットの性能を最適化しようとする場合、様々な動作特性を制御することが重要であることが分っている。たとえば、ネットワーク基地局（ＢＳ）とのＵＥの同期及び／又はＵＥ内の送信電力の制御は、ＵＥの全体的な動作効率を確定する重要な特性を含んでいる。
【０００４】
ＵＥのために要求される同期及び／又は適切な送信電力レベルを維持する仕組みに関して、複数の技法が現在知られており、それらは一般的にＵＥとＢＳとの間のシグナリング交換を伴う。しかしながら、これは電力要件及びネットワーク内のシグナリング負荷に対する悪影響を及ぼす。特に、ＵＥの電力要件の増大、及び「スリープモード」のような電力節減機能を配備できるような場合における制限があると、さらなる動作の非効率性へとつながる可能性がある。
【発明の概要】
【発明が解決しようとする課題】
【０００５】
本発明は、既知のそのような装置及び方法に勝る利点を有する移動無線通信装置及び関連する動作方法を得るためのものである。
【課題を解決するための手段】
【０００６】
本発明の１つの態様によれば、無線通信ネットワークの移動局においてアップリンク（ＵＬ）同期を制御する方法であって、ダウンリンクシグナリング内のタイミングドリフトをモニタリングするステップと、閾値を超えた上記タイミングドリフトに応じて、アップリンク（ＵＬ）同期値を更新するステップとを含む、方法が提供される。
【０００７】
したがって、要求される同期は、ＵＬシグナリングを必要とすることなく維持することができる優位性がある。上述した閾値は、ダウンリンクチャネル記述子（ＤＣＤ）メッセージシグナリングによって送信することができる。
【０００８】
さらに、上記閾値は、無線通信ネットワーク内の基地局において、少なくともセルサイズ、サイクリックプレフィックス長、及び測定精度に応じて確定することができる。
【０００９】
特に、アップリンク同期更新値は、現在の同期値と、ＤＬシグナリング内の上記タイミングドリフトの大きさの２倍との和に基づいて確定することができる。
【００１０】
本発明の別の態様によれば、移動無線通信ネットワーク内のアップリンク（ＵＬ）同期のための更新値を確定する方法であって、該方法は、現在の同期値を考慮し、ダウンリンクシグナリング内のタイミングドリフトを確定するステップを含み、同期更新値は、上記現在の同期値と、上記タイミングドリフトの大きさの２倍との和を含む、方法が提供される。
【００１１】
タイミングドリフトは、ＤＬプリアンブル測定に基づいて確定するのが有効である。
【００１２】
上記で説明した方法をＷｉＭＡＸシステム内で提供することができることが理解されよう。さらに、本方法は、時分割複信（ＴＤＤ）モードで動作する通信システムに特に適用可能であることが証明され得る。
【００１３】
ここで本発明の別の態様を参照すると、無線通信ネットワーク内の移動局におけるＴｘ電力値を制御する方法であって、上記したようにアップリンク同期を確定するステップを含み、更新されるＴｘ電力値は、前回の電力値と、上記同期の関数との和を含む。
【００１４】
Ｔｘ電力制御方法は、上記したＵＬ同期を制御する方法を含むことができ、アップリンク同期値が更新されるときはいつでもＴｘ更新値が生じるようにしておくことが望ましい。
【００１５】
またさらに、本発明は、移動無線通信ネットワーク内で使用するための移動無線通信装置であって、アップリンク（ＵＬ）同期値を制御するように構成され、ダウンリンクタイミングドリフト値をモニタリングする手段と、閾値を超えたダウンリンクタイミングドリフト値の大きさに応じてアップリンク同期値を更新する手段とを備える、移動無線通信装置を提供することができる。
【００１６】
本装置は、好ましくは、更新されるアップリンク同期値を、前回の同期値と、ダウンリンクタイミングドリフトの上記大きさの２倍との和に基づいて確定する手段を備える。
【００１７】
またさらに、本発明は、移動無線通信ネットワークにおいて使用するための移動無線通信装置であって、アップリンク同期のための更新値を確定するように構成され、ダウンリンクタイミングドリフトの大きさを確定する手段を備え、同期更新値は前回のアップリンク同期値と上記タイミングドリフトの大きさの２倍との和に基づいて確定される、移動無線通信装置を提供することができる。
【００１８】
上述した装置は、更新されるＴｘ電力値を、更新されるアップリンク同期値の関数として確定する手段を備えることができる。
【００１９】
また、本装置は、アップリンク同期値が更新するときにＴｘ電力値を更新するように構成することができる。
【００２０】
当然ながら、本装置は、タイミングドリフトがダウンリンクプリアンブル測定に基づいて確定されるように構成することができる。
【００２１】
本発明は、ＭＳ内におけるＵＬタイミングオフセット（Timing_Offset）値の自律的な維持を提供し、したがって、該維持によって、周期的レンジング手順の必要性がなくなる点で有利であり、シグナリングオーバヘッド及び無線資源利用を低減することができる。
【００２２】
これより、添付の図面を参照にして、本発明の例示的な例について、より詳細に説明する。
【図面の簡単な説明】
【００２３】
【図１】ネットワーク基地局と移動局との間のシグナリングにおいて生じるダウンリンクプリアンブル送信のためのタイミング図である。
【図２】本発明の動作を具現化する移動局に関連して本発明の動作を説明するフローチャートである。
【図３】本発明の１つの実施形態に従って構成されたＵＥハンドセットを備える移動局の概略図である。
【発明を実施するための形態】
【００２４】
本発明の一実施形態の以下の論考はＷｉＭＡＸシステムに関するＩＥＥＥ標準規格（ＩＥＥＥ８０２．１６−２００４及びＩＥＥＥ８０２．１６ｅ２００５）に基づいている。これらの標準規格は特に、ネットワークＢＳに接続された状態にある移動局（ＭＳ）のようなＵＥが、アップリンク（ＵＬ）同期を維持すると共に、ネットワーク内の該ＵＥの移動性を適切に補正するためにＵＬ送信電力の更新も行うことを要求している。
【００２５】
既知の標準規格から理解されるように、最初に、「時間オフセット（Time_Offset）」とも呼ばれるＵＬ同期、及び、通常Ｔｘ電力として認識されるＭＳ送信電力が、ＭＳによって取得され、ネットワークエントリ（端末登録）及び初期設定の間に、初期レンジング(Initial ranging)シグナリングによってＢＳから配信される。
【００２６】
ＭＳからのレンジング信号の到達に基づいて、ＢＳは信号のラウンドトリップ伝搬遅延を測定することができる。このラウンドトリップ伝搬遅延は、ＭＳが適切にＵＬ送信を行うのに必要なタイミングオフセットと同等であることが知られている。また、ＢＳは、受信したレンジング信号の信号強度に基づいて、ＭＳにおいて適切にＵＬ送信を行うのに適したＴｘ電力調整計算を行うことができる。
【００２７】
一旦決定されると、ＢＳはタイミングオフセットのための値及びレンジング応答シグナリングにおいてＭＳに対するＴｘ電力用の値を送信することができる。
【００２８】
レンジング信号は、ＵＬチャネル内でマルチパスフェージングを受ける場合があり、それによってＢＳにおける該レンジング信号の到達時間は遅延拡散を受ける場合があり、ＢＳにおける該レンジング信号の受信信号強度が変動する場合があることを留意しておく必要がある。
【００２９】
さらに、直交周波数分割多重接続（ＯＦＤＭＡ）では、フェージング遅延拡散を集約すると共にシンボル間干渉を防ぐためのサイクリックプレフィックス（Cyclic Prefix:ＣＰ）が各ＯＦＤＭシンボルに付加されている。そのようなフェージングによって生じる受信信号強度変動に対応するために、付加的なリンクバジェットマージンも確保されている。後述するように、特にフェージング遅延拡散に起因して、ＯＦＤＭＡシステム内で必要とされるタイミングオフセット精度を、ＣＰ（サイクリックプレフィックス）期間の４分の１、又は少なくとも２分の１として定義することができる。
【００３０】
初期レンジングシグナリングの後、ＭＳがＢＳから切断されるまで、周期的レンジングを介して適切なタイミングオフセットレベル及びＴｘ電力レベルが維持される。そのような周期的レンジングに加えて、通常のＵＬデータ送信が次のスケジューリングされた周期的レンジング信号の前に発生する場合、そのような送信を用いてタイミングオフセット及びＴｘ電力調整を更新することもできる。
【００３１】
ＭＳ送信が、受信フレームのようなＢＳ内のタイミング割当てを維持した状態で、ＢＳと連携し続け、それらの送信が適切な受信電力閾値内で受信されるように、通常、タイミングオフセット及びＴｘ電力を継続的に調節する必要がある。適切なタイミングオフセット値及びＴｘ電力値を維持する仕組みにおいて現在用いられている周期的レンジングは、通常、周期的レンジングタイマーによって制御される。たとえば、ＷｉＭＡＸシステムにおいて、周期的レンジングタイマーはＭＳ内で定義され、タイマー期間が満了すると、ＭＳには所定の時間期間にわたってＢＳに送信する機会が与えられず、周期的レンジングがトリガされるべきであることを示すように構成される。上述した所定の時間期間は、それを超えると、ＵＬ送信のための前回のタイミングオフセット値及びＴｘ電力値がもはや有効でなく、再設定されなくてはならないことが想定される時間期間を含む。
【００３２】
一例として、ＷｉＭＡＸフォーラム、Mobile System Profile Release 1.0 Approved Specification, Revision 1.4.0, 2007-05-02から、以下のパラメータが提唱、又は用いることができる。
フレーム期間＝５ｍｓ
帯域幅＝１０ＭＨｚ
サンプリングレート＝２８／２５
サイクリックプレフィックス（ＣＰ）＝１／８
高速フーリエ変換（ＦＦＴ）サイズ＝１０２４
【００３３】
上記のパラメータから、ＣＰ期間が約１１．４μｓのオーダであるという計算になるため、通常ＣＰ期間の４分の１で設定されるタイミングオフセット精度は、約２．８５μｓと見なすことができ、これは４２７ｍの片道伝搬距離に対応する。そして、ＭＳの潜在的な移動を考慮に入れると、ＭＳは、たとえば車両内で最大７０ｍｐｈ(miles per hour)の高速道路速度で移動している場合、１３．７ｓの時間内に伝搬距離を超えて移動するであろう。したがって、これを考慮すると、ＷｉＭＡＸ  ＭＳ内の周期的レンジングタイマーのタイムアウト値は１３．７ｓを超えるべきでない。実際に、ＷｉＭＡＸシステムをさらに高速で移動しているＭＳに用いることになる場合、そのようなタイムアウト値は当然、周期的レンジングタイマー内のはるかに小さな値にセットされなくてはならない。下記で明確にされるように、タイマーによってトリガされる周期的レンジングシグナリングの頻度がそのように増加することによって、ＵＬ同期値及びＴｘ電力値を維持するためのこの既知の手順の使用を通じて不利な点が生じる。
【００３４】
特に、ＵＬタイミングオフセット値及びＴｘ電力値を更新するために周期的レンジングの使用は、通常、媒体アクセス制御（ＭＡＣ）管理メッセージ交換の形態で制御シグナリングオーバヘッドを必要とする。さらに、周期的レンジングシグナリングのために符号分割多重アクセス（ＣＤＭＡ）符号のサブセットも確保しなくてはならず、これによってシステム内の目的、たとえば初期レンジング内でシグナリング衝突の確率をさらに低減する目的のために使用することができたはずの符号が取り去られる。そのような既知の周期的レンジングは、「スリープモード」動作のような電力節減機能の効率性も低減する。これは、周期的レンジングによって、ＭＳが該ＭＳのスリープモードからウェイクアップすることが必要となるためである。特に、ＣＤＭＡベースの周期的レンジングは、望ましくないことに、ＣＤＭＡベースのレンジング要求を送信／再送信するための適切なレンジング機会を特定するために、レンジング応答メッセージの受信を待機するために、ＭＳ利用可能な時間を長くする可能性もある。
【００３５】
上述したように、そのような不利な点は、ネットワーク内のＭＳの潜在的な高速移動を補うために周期的レンジングタイムアウト値が低減される場合に特に際立つことになる。
【００３６】
ここで、図１を参照すると、ＭＳにおけるダウンリンクシグナリングの送受信のためのタイミング図が示されている。ここでは、特に、ＭＳの移動に起因して生じるＤＬプリアンブルにおける潜在的なドリフトを説明する。このようなドリフトは、本発明のこの特定の実施形態に従って有利に決定され用いられる。
【００３７】
ＭＳが移動を続ける間、プリアンブルドリフトの大きさが変化し続けることが理解される。図１では、ＢＳにおいて送信されるダウンリンクシグナリング１０、及びＭＳにおいて受信される同じシグナリング１２が図示されている。
【００３８】
信号１０、１２のそれぞれが、一連のインタレースされたＤＬサブフレームＡ及びＵＬサブフレームＢを用い、各ＤＬサブフレームはプリアンブル部１４及び本体部１６を有していることが分る。また、時刻ｔ１において、プリアンブル１４の送信時刻と、該プリアンブル１４のＭＳにおける受信時刻との間の差分を表す特定のタイミングオフセット値が存在することも分る。一方、ＭＳの移動に起因して、タイミングオフセット内にドリフトが存在し、それによって、たとえば時刻ｔ２における後のサブフレームに関して、ＤＬサブフレームのプリアンブルがＭＳにおいて受信される遅延において変化が存在している。この差分、すなわち時点ｔ２及び時点ｔ１との間に生じるプリアンブルドリフトは、Δｔｐとして特定される。
【００３９】
本発明のこの実施形態によれば、ＭＳは、プリアンブルドリフトΔｔｐの大きさをモニタリングすると共に、該プリアンブルドリフトΔｔｐの大きさを閾値と比較するように構成されることが望ましい。閾値は、正しい動作のためにＢＳ及びＭＳが許容することができる最大変動に対応する。Δｔｐの閾値よりも大きくなると、ＭＳ内でタイミングオフセットを更新しなくてはならない。同様に、ＤＬプリアンブルに対するＭＳタイミング基準も更新することができる。
【００４０】
図１の１２で示されるように、シグナリング受信のようなＭＳの通常動作において、ＭＳは、ＷｉＭＡＸネットワークへのエントリ時に、初期レンジング手順を実施して、正しい初期タイミングオフセット値及びＴｘ電力調整値を取得する。
【００４１】
ＷｉＭＡＸシステムが時分割複信（ＴＤＤ）モード内で動作している場合、本発明の利点は特に強まる。これは、ＵＬチャネル及びＤＬチャネルが同じ周波数帯域を共有し、ＢＳとＭＳとの間のマルチパス伝搬環境の効果が、任意の特定の時刻において同じようにＵＬ送信及びＤＬ送信に影響するためである。すなわち、ＵＬチャネル及びＤＬチャネルが同じ周波数帯域を使用するため、ＵＬチャネル又はＤＬチャネル内の信号伝搬が同じマルチパスフェージング及び遅延拡散プロファイルを受け、また、ＵＬ送信及びＤＬ送信の双方に関して経路損失パターンが同じになるからである。
【００４２】
ＭＳのＵＬタイミングオフセットを、ＢＳからのＭＳの距離に基づいて決定することができ、該ＵＬタイミングオフセットは通常、ＭＳ及びＢＳにおけるラウンドトリップ伝搬遅延に等しい。
【００４３】
アクティブなＭＳはチャネル推定及び他の目的のためにＤＬプリアンブルを頻繁に測定し、また、アクティブなＭＳは、該ＭＳが「スリープモード」にある間であっても、該ＭＳがリスニングウィンドウ（listening window）の間にウェイクアップするときはいつでもＤＬプリアンブルを定期的に測定するように構成されている。
【００４４】
初期レンジング手順を通じて、ＭＳは初期ＵＬタイミングオフセットレベル及び初期Ｔｘ電力レベルも取得している。これらは次に以下のように用いられる。
【００４５】
ＭＳ内のＤＬプリアンブルの定期的な測定に基づいて、ＭＳは、図１に示すようにＤＬプリアンブルタイミングドリフトΔｔｐを迅速に認識することができ、特に、時間期間ｔ２−ｔ１にわたって累積されたＤＬタイミングドリフトΔｔｐの大きさを検出することができる。
【００４６】
次に、更新目的のための新たなタイミングオフセット値を以下の式から確定することができる。
Ｔｉｍｉｎｇ＿Ｏｆｆｓｅｔｎｅｗ＝Ｔｉｍｉｎｇ＿Ｏｆｆｓｅｔｐｒｅｖｉｏｕｓ＋２＊Δｔｐ
【００４７】
このため、上述したように、Δｔｐの大きさが上述の閾値を超えるとき、必要とされる新たなタイミングオフセット値の確定を迅速に行うことができ、続いてＭＳとＢＳとの間の通信に用いることができる。
【００４８】
プリアンブルドリフトΔｔｐの大きさに対する閾値は、ＤＣＤメッセージによってブロードキャストするのが望ましい。実際の値は、少なくともセルサイズ、サイクリックプレフィックス長、及び測定精度を考慮に入れて、ＢＳにおいて決定することができる。
【００４９】
ＤＬプリアンブル測定に基づいてＭＳ内で迅速に決定できる更新されるタイミングオフセット値を用いることに加えて、本発明は、経路損失変化を補うためのＵＬ  Ｔｘ電力調整更新も可能である点で有効である。
【００５０】
すなわち、ここでもまたＭＳは、上記した初期レンジング手順を介して、ＢＳに初期Ｔｘ電力命令（initial Tx power instruction）にアクセスし、上述したように決定された更新されるタイミングオフセット値の関数に基づいて、更新されるＴｘ電力値を迅速に決定することができる。このため、タイミングオフセット値が更新されることが必要とされ、以下のように、更新されるタイミングオフセット値の関数として迅速に具現化することができる特定の伝搬損失の公式に基づいて、Ｔｘ電力値を同様に更新することができる。
Ｔｘ＿ｐｏｗｅｒｎｅｗ（ｄＢ）＝ｆｘ（Ｔｉｍｉｎｇ＿Ｏｆｆｓｅｔｎｅｗ）
【００５１】
広範に使用されるＣＯＳＴ２３１−Ｈａｔａ伝搬モデルが採用される場合、関数ｆｘは以下のように導出することができる。
Ｔｘ＿ｐｏｗｅｒｎｅｗ（ｄＢ）＝４６．３＋３３．９＊ｌｏｇ（ｆ）−１３．８２＊ｌｏｇ（Ｈｂ）−ａ＊（Ｈｍ）＋［４４．９−６．５５＊ｌｏｇ（Ｈｂ）］＊ｌｏｇ（Ｔｉｍｉｎｇ＿Ｏｆｆｓｅｔｎｅｗ＊ｃ／２）
ただし、
ａ（Ｈｍ）＝［１．１＊ｌｏｇ（ｆ）-０．７］＊Ｈｍ−［１．５６＊ｌｏｇ（ｆ）−０．８］、
Ｈｍ＝移動局のアンテナの高さ、
Ｈｂ＝基地局のアンテナの高さ、
ｆ＝搬送波周波数
ｃ＝光速
である。
【００５２】
Ｔｘ電力調整は、通常、電力損失値変化における変化を補うために提供される。
【００５３】
このため、本発明の説明される実施形態は、ＭＳがＤＬプリアンブルタイミングドリフトを正確な方法で測定及び記録することができるという想定に基づいて、更新されるタイミングオフセット値及びＴｘ電力値の好都合で正確な推定を可能にすることが理解されよう。
【００５４】
したがって、ＵＬ同期値及びＴｘ電力値の自律的な維持は、従来技術において生じる特定の周期的シグナリングを必要とすることなく維持することができる。
【００５５】
したがって、本発明は、同期及び電力制御方式を簡便に実現できる点で有利であり、１つの実施形態が図２に見られるタイミング図によって説明される。
【００５６】
ここで、ＷｉＭＡＸシステムのＵＥハンドセット１８のようなＭＳと、ＷｉＭＡＸシステムのＢＳ２０との間のシグナリングが図示され、該シグナリングは、ＢＳ２０からＭＳ１８へのＤＣＤメッセージ２２の初期ブロードキャストから開始する。これは、受信ＤＬ信号の測定されたプリアンブルドリフトの大きさを比較する対象であるプリアンブルドリフト閾値を含むことができる。
【００５７】
ＢＳ２０からＭＳ１８に初期レンジング応答シグナリング２４が送られ、該初期レンジング応答シグナリング２４は、初期タイミングオフセット値及びＴｘ電力値等を含む。２６、２８、及び３０において、それぞれ初期プリアンブルドリフト値、タイミングオフセット値、及びＴｘ電力値が要求通りにセットされ、その後、ＤＬプリアンブル測定手順３２が反復して実施される。
【００５８】
このため、反復手順３２内において、ＢＳ２０からのＤＬプリアンブルを測定し、それによって３４においてタイミングドリフト値を検出し、３６において該タイミングドリフト値を要求通りに更新する。一方、３８において、プリアンブルドリフトの大きさが上記ＤＣＤメッセージ２２内に含まれる閾値よりも大きいか否かを判断する。閾値を超えていない場合、反復手順３２は該手順の初期決定（initial conclusion）へと進む。
【００５９】
一方、プリアンブルドリフトの大きさが閾値を超える場合、４０において、前回のオフセット値と、タイミングドリフトΔｔｐの大きさの２倍との和に基づいて新たなタイミング値を確定する。
【００６０】
同様に、上述したように、タイミングオフセット値の最初の更新４０は、４２におけるＴｘ電力更新と共に達成することができ、タイミングドリフト自体は、ステップ４４等において再設定することができる。
【００６１】
上述したように、次に、手順３２をＤＬプリアンブルの各測定において反復し、このため、ここでもまた、ＭＳ１８からのシグナリングの開始を必要とすることなくＵＬ同期値及びＴｘ電力値の制御が可能である。
【００６２】
本発明の提案される技法は、ＭＳとＢＳとの間のアクティブな接続のための期間全体に使用可能なタイミングオフセット値を自律的に維持することができる点で有利であり、オプションとして、周期的レンジングを可能にするが、たとえば、現在の技術において用いられているような数秒ではなく約数分のはるかに大きなタイムアウト値に従うようにＴ４タイマーの提供をもたらすことも当然可能である。
【００６３】
このため、図２に示すように、必要な場合、タイムトリガ周期的レンジング４６を任意に行うことができる。
【００６４】
したがって、本発明は、周期的レンジングへの依存の必要性を取り除くか、又は該依存を大幅に低減し、それによって関連するシグナリングオーバヘッドを取り除くか又は劇的に低減する点で有効であることが理解できる。また、ここで、周波数レンジングＣＤＭＡ符号を他の目的のために開放することができ、これらを、全体システム性能を向上させるのに用いることができ、これはＭＳ及び該ＭＳに関連するＢＳの構成を簡略化することができる。
【００６５】
また、電力節減を行う「スリープモード」のような他の動作特性の効率性が改善し得る。
【００６６】
したがって、本発明は、ＭＳが初期レンジング手順を介してＢＳから初期ＵＬタイミングオフセットレベル及び送信電力レベルを取得した後、該ＭＳがＵＬ同期及び送信電力調整を自律的に維持するための新たな技法を提示していることが分る。提案される技法は、システムが、ＵＬ及びＤＬが同じ周波数帯域を共有するＴＤＤモードで動作するとき、ＵＬチャネル及びＤＬチャネル内の信号伝搬が同じマルチパスフェージング及び遅延拡散プロファイルを受けるということに基づいている。そして、ＭＳは該ＭＳの定期的なＤＬプリアンブル測定を利用し、経時的に累積されたＤＬタイミングドリフトを検出する。これはＵＬタイミングオフセット変動の２分の１に等しい。ＴＤＤモードであれば、ＵＬタイミングオフセット及び送信電力調整に関するＭＳにおける自律的な計算（MS autonomous calculations）が適切に正確であり、それによってＭＳがはるかに長い時間にわたってＵＬ同期を確実に維持できる。本技法の採用によって、アクティブＭＳのＵＬ同期を維持するためのＩＥＥＥ８０２．１６標準規格において規定される周期的レンジングの必要を取り除くことができ、それによって関連するシグナリングオーバヘッドを取り除き、無線資源利用を低減すると共に、スリープモードにおける電力節減性能を改善することができる。
【００６７】
ここで図３を参照すると、本発明を具現化するように構成されるＵＥハンドセット４８を備えるＭＳの簡略化された概略図が提供されている。
【００６８】
このため、理解されるように、ハンドセット４８は、標準的な信号受信／送信回路５０と、処理装置５２と、配列部（arrangement）５４とを備える。
【００６９】
処理装置５２は、受信機ＤＬシグナリングのプリアンブルドリフトを確定すると共に、該プリアンブルドリフトを閾値と比較するように構成され、且つ本発明に従って、要求通りの更新されるタイミングオフセット値及び／又はＴｘ電力値を確定するための機能を伴う、素子５２Ａを備える。
【００７０】
本発明は、ＤＬプリアンブル信号を用いて、長時間にわたってＤＬタイミングドリフトを累積的に測定でき、且つその期間の間、ＵＬ送信が一切生じない点で有利であり、この点で従来技術とは異なっている。
【００７１】
そして、ＭＳは、ネットワーク内の該ＭＳ自体の移動によって生じるＵＬタイミングオフセット変動を自律的に計算し、したがって要求通りに適切なタイミングオフセット更新に達することができる。
【００７２】
本技法は、ＷｉＭＡＸ  ＴＤＤモードについて説明したが、本技法を、たとえばＵＬチャネル及びＤＬチャネルが異なる周波数帯域を使用するＷｉＭＡＸ  ＦＤＤモードのような他のモードにおいて利用することができるため、本発明は、ＷｉＭＡＸ  ＴＤＤモードに限定されない。ＷｉＭＡＸ  ＦＤＤモードでは、周波数帯域はＵＬ方向及びＤＬ方向において十分に分離されているため、ＵＬチャネル及びＤＬチャネル内の信号伝搬はわずかに異なるフェージング遅延拡散プロファイルを有する場合があり、このため、タイミングオフセットの自律的な計算はＷｉＭＡＸ  ＴＤＤモードにおけるほど正確でない場合があるが、それでもなお本発明の範囲内で容易に利用可能である。
【００７３】
提案される技法は、他のＯＦＤＭＡベースのシステム、特に３ＧＰＰ  ＬＴＥにも適用することができる。ＬＴＥは、高い移動性（最大３５０ｋｍ／ｈ）をサポートするように設計され、ＣＰ期間はＷｉＭＡＸより短いため、この結果としてタイミングオフセット及びＴｘ電力の自律的な計算に対するより厳しい精度要件が生じる場合があることを理解しておく必要がある。
【図１】
2011526745.tif 000003
【図２】
2011526745.tif 000004
【図３】
2011526745.tif 000005
【国際調査報告】
2011526745.tif 000006
2011526745.tif 000007
2011526745.tif 000008